(57)【特許請求の範囲】
【請求項１】
底面部を有する略直方体状に形成され、前記底面部が通気溝と前記通気溝の壁面に形成された吸気口とを有する筐体と、
前記筐体の内部に設けられ、前記吸気口から前記筐体の内部へ入り込む空気の流れを形成する吸気ファンと、
前記吸気口から前記筐体の内部へ入り込む空気が通過するフィルタと、
を備え、
前記筐体の前記底面部は、底面部本体と、前記底面部本体に着脱可能な蓋体とを有し、
前記底面部本体は、前記蓋体が装着され、前記蓋体と共に前記通気溝を形成する蓋装着用凹部を有し、
前記底面部を上方に向けるとともに前記蓋体が前記蓋装着用凹部に装着された状態において、前記底面部本体の外表面と前記蓋体の外表面とが略平行且つ略同じ高さに形成される投射型表示装置。
【請求項２】
前記筐体の底面部を上方に向けた状態において、前記通気溝の底面は、前記吸気口よりも低い位置にある
請求項１に記載の投射型表示装置。
【請求項３】
前記通気溝は、前記吸気口を設ける部分のみに形成される
請求項１又は２に記載の投射型表示装置。
【請求項４】
前記底面部本体は、前記蓋装着用凹部に形成された通気窓を有し、
前記蓋体は、前記吸気口を有する
請求項１〜３のいずれか１項に記載の投射型表示装置。
【請求項５】
前記吸気口は、前記蓋体の側面の一部に形成されている
請求項４に記載の投射型表示装置。
【請求項６】
前記蓋体は、前記フィルタが取り付けられるフィルタ取付部を有する
請求項４又は５に記載の投射型表示装置。
【請求項７】
前記蓋体は、前記筐体の前記底面部に連続した壁面部の少なくとも一部を形成する壁形成面部を有し、
前記壁形成面部には、前記吸気口とは別の壁側吸気口が形成されている
請求項４〜６のいずれか１項に記載の投射型表示装置。
【請求項８】
前記筐体の前記底面部は、載置面に接触する支持脚を有する
請求項１〜７のいずれか１項に記載の投射型表示装置。
【発明の詳細な説明】
【技術分野】
【０００１】
本開示は、液晶プロジェクタやＣＲＴプロジェクタ等の投射型表示装置に関する。
【背景技術】
【０００２】
液晶プロジェクタやＣＲＴプロジェクタ等の投射型表示装置は、光源やその光源からの光を受ける光学部品を有している。これら光源及び光学部品は、光源の発熱により温度が上昇する。そのため、投射型表示装置には、光源及び光学部品を空冷するための吸気口と吸気ファンが設けられている。
【０００３】
投射型表示装置としては、略直方体の筐体の側面に吸気口を有するものがある。しかし、筐体の側面部に吸気口を設けると、吸気口の開口面積を十分に確保することが難しい。また、吸気口と吸気ファンとの間に空気を通すダクトを設ける必要があり、装置の小型化を妨げる要因になってしまう。
【０００４】
そこで、特許文献１に記載されているように、筐体の底面部に吸気口を設けることで吸気口の開口面積を確保した投射型表示装置が提案されている。
【０００５】
ところで、投射型表示装置は、天面部を上方に向けた状態でテーブル等の載置面に載置して使用する場合と、底面部を上方に向けた状態で天井等の吊り下げ面から吊り下げて使用する場合がある。底面部を上方に向けた状態で天井等の吊り下げ面から吊り下げると、体裁面である天面部が下方に向くため、見栄えが良い。
【０００６】
また、投射型表示装置は、一般的に載置面に載置して使用する状態で上向きの光学系（あおり投射）となるように光学部品が配置されている。したがって、天面部を上方に向けた状態で吊り下げると、スクリーンに映像を投影するために装置を傾けなければならない。そして、装置を傾けることにより投影された映像の台形歪み補正が難しくなるという問題が生じる。
【０００７】
一方、底面部を上方に向けた状態で吊り下げると、光学系が下向きになるため、装置を傾けなくてもスクリーンに映像を投影することができる。このような理由から、一般的な投射型表示装置は、吊り下げ面から吊り下げて使用する場合に底面部を上方に向ける。
【先行技術文献】
【特許文献】
【０００８】
【特許文献１】特開２００４−１５７３４７号公報
【発明の概要】
【発明が解決しようとする課題】
【０００９】
しかしながら、特許文献１に記載された投射型表示装置を吊り下げ面から吊り下げて使用する場合に、底面部を上方に向けた状態にすると、吸気口を塞ぐフィルタに塵埃が積もってしまう。そのため、吊り下げ面から吊り下げて使用する場合には、別部品として設けられた庇を装着して、フィルタに塵埃が積もらないようにする必要があった。
【００１０】
本開示の投射型表示装置は、筐体と、吸気ファンと、フィルタとを備えている。
筐体は、底面部を有する略直方体状に形成されている。そして、筐体の底面部は、通気溝とその通気溝の壁面に形成された吸気口とを有する。
吸気ファンは、筐体の内部に設けられており、吸気口から筐体の内部へ入り込む空気の流れを形成する。
フィルタには、吸気口から筐体の内部へ入り込む空気が通過する。
また、筐体の底面部は、底面部本体と、底面部本体に着脱可能な蓋体とを有し、底面部本体は、蓋体が装着され、蓋体と共に通気溝を形成する蓋装着用凹部を有している。そして、底面部を上方に向けるとともに蓋体が蓋装着用凹部に装着された状態において、底面部本体の外表面と蓋体の外表面とが略平行に形成される
【課題を解決するための手段】
【００１１】
本開示の投射型表示装置は、筐体と、吸気ファンと、フィルタとを備えている。
筐体は、底面部を有する略直方体状に形成されている。そして、筐体の底面部は、通気溝とその通気溝の壁面に形成された吸気口とを有する。
吸気ファンは、筐体の内部に設けられており、吸気口から筐体の内部へ入り込む空気の流れを形成する。
フィルタには、吸気口から筐体の内部へ入り込む空気が通過する。
【００１２】
本開示の投射型表示装置を載置面に載置して使用する場合は、筐体の天面部を上方に向けた状態にする。そして、本開示の投射型表示装置を吊り下げ面から吊り下げる場合は、筐体の底面部を上方に向けた状態にする。
本開示の投射型表示装置では、空気が筐体の底面部に設けた通気溝を通り、通気溝の壁面に形成された吸気口から筐体の内部へ入り込む。
【００１３】
投射型表示装置を吊り下げ面から吊り下げる場合に筐体の底面部を上方に向けると、通気溝が上方に向かって開口され、吸気口が側方に向かって開口された状態になる。これにより、投射型表示装置を吊り下げ面から吊り下げる場合は、塵埃が通気溝に積もることになる。その結果、塵埃が吸気口を通過してフィルタに積もらないようにすることができる。そのため、フィルタの長寿命化を実現することができる。
【発明の効果】
【００１４】
本開示によれば、底面部を上方に向けた状態で吊り下げて使用する場合に、庇を取り付けなくても塵埃が吸気口を通過してフィルタに積もらないようにすることができる。
【図面の簡単な説明】
【００１５】
【図１】本開示の一実施形態に係る投射型表示装置の天面部を上方に向けた状態の斜視図である。
【図２】本開示の一実施形態に係る投射型表示装置の底面部を上方に向けた状態の斜視図である。
【図３】本開示の一実施形態に係る投射型表示装置の底面部の構成を示す分解斜視図である。
【図４】本開示の一実施形態に係る投射型表示装置における蓋体の一面を上方に向けた状態の斜視図である。
【図５】本開示の一実施形態に係る投射型表示装置における蓋体の他面を上方に向けた状態の斜視図である。
【図６】図２のＡ−Ａ線に沿う部分断面図である。
【発明を実施するための形態】
【００１６】
以下、本開示の投射型表示装置の実施の形態について、図１〜図６を参照して説明する。なお、各図において共通の部材には、同一の符号を付している。また、本開示の投射型表示装置は、以下の形態に限定されるものではない。
【００１７】
なお、説明は以下の順序で行うものとする。
１．投射型表示装置の概略構成
２．底面部の構成
３．蓋体の構成
４．塵埃受部の説明
【００１８】
＜１．投射型表示装置の概略構成＞
まず、投射型表示装置の概略構成について、図１及び図２を参照して説明する。
図１は、投射型表示装置の天面部を上方に向けた状態の斜視図である。図２は、投射型表示装置の底面部を上方に向けた状態の斜視図である。
【００１９】
図１及び図２に示すように、投射型表示装置１は、筐体２と、筐体２に取り付けられたレンズ鏡筒３とを有している。レンズ鏡筒３には、光をスクリーン（不図示）に投射するための投射レンズ５が配置されている。この投射レンズ５は、複数枚のレンズを有するレンズ群により構成されていてもよい。
【００２０】
以下、水平面に対して直交する方向を上下方向とし、投射レンズ５が光を投射する方向に略平行であって上下方向に直交する方向を前後方向とする。また、上下方向と前後方向に直交する方向を左右方向とする。
【００２１】
筐体２は、上下方向に薄い略直方体状に形成されており、天面部１１と、底面部１２と、正面部１３と、背面部１４と、側面部１５，１６を有している。天面部１１と底面部１２は上下方向に略直交する面を形成しており、正面部１３と背面部１４は前後方向に略直交する面を形成している。また、側面部１５，１６は、左右方向に直交する面を形成している。
なお、正面部１３と、背面部１４と、側面部１５，１６は、本開示に係る筐体の壁面部の具定例である。
【００２２】
投射型表示装置１を載置面テーブル等の載置面に載置して使用する場合は、筐体２の天面部１１が上方に向いた状態になる（図１参照）。また、投射型表示装置１を天井等の吊り下げ面から吊り下げて使用する場合は、筐体２の底面部１２が上方に向いた状態になる（図２参照）。
【００２３】
筐体２の内部には、後述する吸気ファン２０（図３参照）が配置されている。また、筐体２の内部には、図示しないが、光源ユニットと、光源ユニットからの光束をレンズ鏡筒３へ導く光学ユニットと、光源ユニットを駆動制御する光源駆動部と、光学ユニットを含む投射型表示装置１全体を駆動制御する制御駆動部が配置されている。
【００２４】
光源ユニットは、光を出射する光源と、光源の周囲を覆い且つ光源から出射された光を反射させるリフレクタと、リフレクタが収納されるランプハウジング等を備えている。光源としては、例えば、高圧水銀ランプ、キセノンランプ、メタルハライドランプ、ハロゲンランプ等を用いることができる。
【００２５】
光学ユニットは、複数の光学部品と、これら複数の光学部品を保持する保持ケースとを有している。複数の光学部品としては、例えば、光源ユニットからの光束を平行光束に変換する偏光変換素子と、平行光束を赤、緑、青の各色光束Ｒ，Ｇ，Ｂに分解して変調する画像形成素子と、変調された色光束Ｒ，Ｇ，Ｂを合成するプリズム合成体等を挙げることができる。
【００２６】
画像形成素子は、例えば、３枚の液晶パネルを有しており、制御駆動部から入力された映像信号に応じて液晶分子の配列を変化させることで、平行光束を各色光束Ｒ、Ｇ、Ｂに分解して変調する。プリズム合成体は、画像形成素子により変調された色光束Ｒ，Ｇ，Ｂを合成して、レンズ鏡筒３へ導く。
【００２７】
レンズ鏡筒３に入射した光束は、投射レンズ５によりスクリーン（不図示）へ投射される。これにより、プリズム合成体により合成された光束（画像）は、スクリーンに拡大表示される。
【００２８】
図１に示すように、天面部１１には、電源ボタン、音量ボタン、モード切替ボタン等の複数の操作ボタン２１が設けられている。複数の操作ボタン２１は、天面部１１における背面部１４側の一辺に沿って適当な間隔をあけて配置されている。
【００２９】
正面部１３には、投射レンズ５を露出させる開口１３ａと、壁側吸気口２２が形成されている。開口１３ａは、正面部における左右方向の一方の端部に設けられており、壁側吸気口２２は、正面部における左右方向の略中央部に設けられている。この壁側吸気口２２については、後で詳しく説明する。
【００３０】
側面部１５には、前後方向に長い略長方形の凹部１５ａが形成されている。そして、凹部１５ａには、外部装置と電気的に接続するためのコネクタやプラグ等の複数の接続端子２３が配置されている。
【００３１】
図２示すように、側面部１６には、排気口２４が形成されている。この排気口２４には、複数の羽板２５ａから構成されるルーバー２５が取り付けられている。ルーバー２５の複数の羽板２５ａは、前後方向に長い長方形の板体からなる。なお、排気口２４に取り付けるルーバーの羽板としては、例えば、上下方向に長い長方形の板体であってもよい。
【００３２】
底面部１２には、通気溝２６と、この通気溝２６の壁面に形成された吸気口２７と、複数の雌ねじ部２８と、支持突起２９が形成されている。通気溝２６は、底面部１２における中央部から左右方向の一方に偏った位置に設けられており、第１通気溝２６Ａと第２通気溝２６Ｂから構成されている。
【００３３】
第１通気溝２６Ａは、略Ｌ字状に形成されており、前後方向に延びる直線部と、左右方向に延びる直線部を有している。第２通気溝２６Ｂは、略Ｉ字状に形成されており、左右方向に延びている。
本実施の形態では、第１通気溝２６Ａ及び第２通気溝２６Ｂの幅を１０ｍｍ程度に設定した。しかし、本開示に係る通気溝の幅は、適宜設定することができる。
【００３４】
吸気口２７は、第１通気溝２６Ａの壁面に形成された第１吸気口２７Ａ，２７Ｂと、第２通気溝２６Ｂに形成された第２吸気口２７Ｃから構成されている（図４参照）。つまり、第１吸気口２７Ａ，２７Ｂ及び第２吸気口２７Ｃは、第１通気溝２６Ａ及び第２通気溝２６Ｂを介して外部に開口されている。
【００３５】
第１吸気口２７Ａ，２７Ｂ及び第２吸気口２７Ｃは、底面部１２の表面よりも筐体２の内部側に配置されている。そして、第１吸気口２７Ａは、側面部１６側である側方に向かって開口されており、第１吸気口２７Ｂ及び第２吸気口２７Ｃは、背面部１４側である側方（後方）に向かって開口されている。
【００３６】
複数の雌ねじ部２８には、底面部１２に吊り下げ具（不図示）を取り付けるためのねじ（不図示）が螺合される。
支持突起２９は、底面部１２における背面部１４側の一辺に沿って突条に形成されている。この支持突起２９は、投射型表示装置１を載置面に載置する場合に載置面に接触する。
【００３７】
また、底面部１２における正面部１３側の角部には、２つの支持具３０が取り付けられている。これら２つの支持具３０と上述した支持突起２９は、本開示に係る支持脚の具体例を示すものである。２つの支持具３０及び支持突起２９を設けることにより、底面部１２の表面と載置面との間には、適当な間隙が生じる。したがって、投射型表示装置１を載置面に載置した場合であっても、第１吸気口２７Ａ，２７Ｂ及び第２吸気口２７Ｃから吸気を行うことができる。
【００３８】
＜２．底面部の構成＞
次に、筐体２の底面部１２の構成について、図３を参照して説明する。
図３は、底面部１２の構成を示す分解斜視図である。
【００３９】
図３に示すように、筐体２の底面部１２は、底面部本体３１と、底面部本体３１に着脱可能な蓋体３２とを備えている。
【００４０】
底面部本体３１は、筐体２の正面部１３、背面部１４及び側面部１５，１６に連続している。この底面部本体３１は、蓋体３２が装着される蓋装着用凹部３４を有している。蓋装着用凹部３４は、略四角形に形成されており、一辺が正面部１３の一部を切欠いている。
そして、上述した第１通気溝２６Ａ及び第２通気溝２６Ｂは、底面部本体３１の蓋装着用凹部３４と蓋体３２とによって形成される（図２参照）。
【００４１】
蓋装着用凹部３４には、吸気窓３５と、複数（本実施形態では３つ）の係合爪３６と、係合孔３７Ａ，３７Ｂ，３７Ｃ，３７Ｄが形成されている。吸気窓３５は、蓋装着用凹部３４の底面に設けられており、吸気口２７Ａ，２７Ｂ，２７Ｃ及び壁側吸気口２２から入り込んだ空気が通る。この吸気窓３５は、筐体２の内部に配置した吸気ファン２０を露出させている。
【００４２】
吸気ファン２０は、例えば、シロッコファンであり、筐体２の内部への吸気を行うときに駆動する。吸気ファン２０が駆動すると、筐体２の内外に気圧差が生じて、筐体２の外部の空気が吸気口２７Ａ，２７Ｂ，２７Ｃ及び壁側吸気口２２から筐体２の内部へ入り込む。
筐体２の内部へ入り込んだ空気は、上述した光源ユニットや光学ユニットなど熱を奪って暖められる。これにより、光源ユニットや光学ユニットが冷却される。筐体２の内部で暖められた空気は、上述した排気口２４から筐体２の外部へ排気される。
【００４３】
複数の係合爪３６は、蓋装着用凹部３４の側面部１６側の壁面に沿って前後方向に適当な間隔をあけて配置されている。これら複数の係合爪３６は、蓋体３２に設けられた後述する係合フランジ４６（図４参照）に係合する。
なお、本開示に係る係合爪は、１つであってもよい。
【００４４】
４つの係合孔３７Ａ〜３７Ｄは、蓋装着用凹部３４の背面部１４側の壁面に形成されている。これら係合孔３７Ａ〜３７Ｄは、左右方向に適当な間隔をあけて配置されている。係合孔３７Ａ〜３７Ｄには、蓋体３２に設けられた後述する係合突起４７Ａ〜４７Ｄ（図４参照）がそれぞれ嵌入される。
【００４５】
蓋体３２は、底面部本体３１における正面部１３側にスライドさせることで底面部本体３１から取り外される。また、蓋体３２を底面部本体３１に装着する場合は、蓋体３２を底面部本体３１における正面部１３側から蓋装着用凹部３４に挿入する。
【００４６】
＜３．蓋体の構成＞
次に、蓋体３２の構成について、図４及び図５を参照して説明する。
図４は、蓋体３２の一面を上方に向けた状態の斜視図である。図５は、蓋体３２の他面を上方に向けた状態の斜視図である。
【００４７】
図４及び図５に示すように、蓋体３２は、厚みの薄い略四角形の直方体状に形成されており、一方の平面全体が開口されている。この蓋体３２の平面の面積は、底面部本体３１の蓋装着用凹部３４（図３参照）における底面の面積よりも小さい。これにより、蓋体３２を底面部本体３１の蓋装着用凹部３４に装着すると、蓋体３２と蓋装着用凹部３４によって第１通気溝２６Ａ及び第２通気溝２６Ｂが形成される。
【００４８】
蓋体３２は、底面部１２の表面の一部を形成する上面部４１と、正面部１３の表面の一部を形成する壁形成面部４２と、蓋装着用凹部３４の３つの壁面にそれぞれ対向する３つの蓋側面部４３，４４，４５とを有している。
【００４９】
上面部４１における壁形成面部４２側の端部には、操作用凹部４１ａが形成されている。この操作用凹部４１ａは、蓋体３２を底面部本体３１の蓋装着用凹部３４（図３参照）上でスライドさせる場合に、指等を引っ掛けるために設けられている。
【００５０】
壁形成面部４２は、筐体２の正面部１３（図３参照）の形状に対応した段状に形成されている。この壁形成面部４２には、壁側吸気口２２が設けられている。壁側吸気口２２は、壁形成面部４２の段部を跨る複数の長穴から構成されている。
【００５１】
蓋側面部４３は、蓋体３２を蓋装着用凹部３４（図３参照）に装着したときに、蓋装着用凹部３４の側面部１６側の壁面に対面する。この蓋側面部４３には、上述した第１吸気口２７Ａと、係合フランジ４６が形成されている。第１吸気口２７Ａ及び係合フランジ４６は、蓋装着用凹部３４の側面部１６側の壁面に対してそれぞれ所定の間隙（本実施形態では約１０ｍｍ）をあけて対向する。
【００５２】
第１吸気口２７Ａは、複数の開口から構成されている。これら複数の開口は、長方形に形成されており、壁形成面部４２と蓋側面部４４が対向する方向に並んでいる。
蓋側面部４３における上面部４１と反対側の端面から複数の開口の底辺部２７ａまでの距離は、所定の長さに設定されている。そして、蓋体３２を蓋装着用凹部３４（図３参照）に装着すると、蓋側面部４３における上面部４１と反対側の端面は、蓋装着用凹部３４の底面に接触する。
【００５３】
したがって、蓋体３２を蓋装着用凹部３４に装着して底面部１２を上方に向けた状態において、第１吸気口２７Ａの底辺部２７ａは、蓋装着用凹部３４の底面よりも所定の長さだけ高い位置に配置される（図６参照）。言い換えれば、蓋装着用凹部３４の底面は、第１吸気口２７Ａの底辺部２７ａよりも所定の長さだけ低い位置にある。
【００５４】
係合フランジ４６は、蓋側面部４３の上面部４１側とは反対側の端部に設けられている。この係合フランジ４６は、蓋体３２を蓋装着用凹部３４に装着したときに、蓋装着用凹部３４に設けた複数の係合爪３６に係合する。
【００５５】
蓋側面部４４は、蓋体３２を蓋装着用凹部３４に装着したときに、蓋装着用凹部３４の背面部１４側の壁面に対面する。この蓋側面部４４には、上述した第１吸気口２７Ｂ及び第２吸気口２７Ｃと、４つ係合突起４７Ａ，４７Ｂ，４７Ｃ，４７Ｄが形成されている。第１吸気口２７Ｂ及び第２吸気口２７Ｃは、蓋装着用凹部３４の背面部１４側の壁面に対して所定の間隙（本実施形態では約１０ｍｍ）をあけて対向する。
【００５６】
第１吸気口２７Ｂは、蓋側面部４４における蓋側面部４３側の角部に設けられており、長方形に形成されている。この第１吸気口２７Ｂの底辺部２７ｂは、第１吸気口２７Ａの底辺部２７ａと略同じ高さに設定されている。
第２吸気口２７Ｃは、第１吸気口２７Ｂの隣に適当な間をあけて配置されており、長方形に形成されている。この第２吸気口２７Ｃの底辺部２７ｃは、第１吸気口２７Ｂの底辺部２７ｂと略同じ高さに設定されている。
【００５７】
係合突起４７Ａ〜４７Ｄは、蓋側面部４４の表面から略垂直に突出している。
係合突起４７Ａは、第１吸気口２７Ｂと第２吸気口２７Ｃとの間に配置されている。また、係合突起４７Ｂ，４７Ｃ，４７Ｄは、蓋側面部４４の第２吸気口２７Ｃよりも蓋側面部４５側に、適当な間隔をあけて配置されている。
【００５８】
係合突起４７Ａ〜４７Ｄは、蓋体３２を蓋装着用凹部３４に装着したときに、蓋装着用凹部３４に設けた係合孔３７Ａ〜３７Ｄに嵌入される。
なお、本開示に係る係合突起及び係合孔の数は、任意に設定することができる。
【００５９】
図５に示すように、蓋体３２の内側は、フィルタ５１が収納されるフィルタ取付部４８になっている。このフィルタ取付部４８は、フィルタ５１の形状に対応した略四角形に形成されている。フィルタ５１は、フィルタ取付部４８に着脱可能なフィルタカバー４９によって係止される。
【００６０】
フィルタ５１は、第１吸気口２７Ａ，２７Ｂと、第２吸気口２７Ｃと、壁側吸気口２２を塞ぐ。また、フィルタ５１は、筐体２の吸気窓３５を塞ぐ。各吸気口２７Ａ，２７Ｂ，２７Ｃ，２２から筐体２の内部へ入り込む空気は、フィルタ５１を通過する。このとき、フィルタ５１は、塵埃が空気と一緒に筐体２の内部へ入り込まないように塵埃を取り除く。
【００６１】
なお、筐体２の内部へ塵埃が入り込まないようにするには、フィルタ５１が各吸気口２７Ａ〜２７Ｃ，２２又は筐体２の吸気窓３５の一方を塞いでいればよい。
【００６２】
＜４．塵埃受部の説明＞
次に、第１通気溝２６Ａ及び第２通気溝２６Ｂに形成される塵埃受部について、図６を参照して説明する。
図６は、図２のＡ−Ａ線に沿う部分断面図である。
【００６３】
図６に示すように、底面部本体３１の蓋装着用凹部３４に蓋体３２を装着すると、第１通気溝２６Ａ及び第２通気溝２６Ｂが形成される。これら通気溝２６Ａ，２６Ｂは、第１吸気口２７Ａ，２７Ｂ及び第２吸気口２７Ｃを露出させる。したがって、筐体２の外部にある空気は、通気溝２６Ａ，２６Ｂと吸気口２７Ａ，２７Ｂ，２７Ｃを通って、筐体２の内部へ入り込むことができる。
【００６４】
投射型表示装置１を吊り下げ面から吊り下げる場合に筐体２の底面部１２を上方に向けると、第１通気溝２６Ａ及び第２通気溝２６Ｂは、上方を向く。そして、第１吸気口２７Ａ，２７Ｂ及び第２吸気口２７Ｃは、側方を向く。これにより、塵埃は、吊り下げ面から吊り下げた投射型表示装置１の第１通気溝２６Ａ及び第２通気溝２６Ｂに積もる。
【００６５】
したがって、庇を取り付けなくても、塵埃が第１吸気口２７Ａ，２７Ｂ及び第２吸気口２７Ｃを通過してフィルタ５１に積もることを抑制或いは防止することができる。そして、フィルタ５１の長寿命化を実現することができる。
【００６６】
また、第１通気溝２６Ａ及び第２通気溝２６Ｂの底面は、第１吸気口２７Ａ，２７Ｂ及び第２吸気口２７Ｃよりも低い位置にある。これにより、通気溝２６Ａ，２６Ｂにおける底面から第１吸気口２７Ａ，２７Ｂ及び第２吸気口２７Ｃの底辺部２７ａ，２７ｂ，２７ｃまでの底部は、塵埃が溜まる塵埃受部となる。
【００６７】
塵埃受部に溜まった塵埃は、第１吸気口２７Ａ，２７Ｂ及び第２吸気口２７Ｃよりも低い位置にある。そのため、吸気ファン２０（図３参照）が駆動して吸気が行われても、塵埃受部に溜まった塵埃を第１吸気口２７Ａ，２７Ｂ及び第２吸気口２７Ｃから吸い込まないようにすることができる。
【００６８】
なお、通気溝２６Ａ，２６Ｂにおける底面から第１吸気口２７Ａ，２７Ｂ及び第２吸気口２７Ｃの底辺部２７ａ，２７ｂ，２７ｃまで距離が長くなるほど、塵埃受部の深さが深くなるため、塵埃受部の容量を多くすることができる。また、通気溝２６Ａ，２６Ｂの幅を広くすることで塵埃受部の容量を多くすることもできる。しかし、通気溝２６Ａ，２６Ｂの幅が広くなるほど、通気溝２６Ａ，２６Ｂに塵埃が進入し易くなるため、塵埃受部の深さを深くするほうが好ましい。
【００６９】
本実施の形態では、蓋体３２における蓋側面部４３，４４，４５の一部に吸気口２７Ａ，２７Ｂ，２７Ｃを設けた。そして、吸気口２７Ａ，２７Ｂ，２７Ｃを設けた部分のみに通気溝２６Ａ，２６Ｂを形成した。これにより、筐体２の内部に光源ユニットや光学ユニット等を配置するためのスペースを確保することができ、装置の小型化を図ることができる。
なお、本開示に係る吸気口としては、蓋体３２における蓋側面部４３，４４，４５の全体に設けてもよい。
【００７０】
また、本実施の形態では、吸気口２７Ａ，２７Ｂ，２７Ｃを設ける部分のみに通気溝２６Ａ，２６Ｂを形成した。しかし、本開示に係る通気溝としては、吸気口を設ける部分以外に形成してもよい。
【００７１】
また、本実施の形態では、蓋体３２にフィルタ５１を取り付ける構成とした。しかし、本開示の投射型表示装置としては、底面部本体３１にフィルタ取り付けて筐体２の内部へ塵埃が進入することを防ぐ構成としてもよい。
【００７２】
また、本実施形態では、筐体２の底面部１２を底面部本体３１と蓋体３２から構成して、蓋体３２に吸気口２７Ａ，２７Ｂ，２７Ｃを設けた。しかし、本開示に係る筐体の底面部は、蓋体を備えていなくてもよい。その場合は、壁面に吸気口が形成された通気溝を、筐体の底面部に設ける構成とする。
【００７３】
また、本実施の形態では、筐体２の正面部１３の一部を形成する壁形成面部４２を蓋体３２に設けた。しかし、本開示に係る壁形成面部としては、筐体の壁面部である背面部や側面部の一部を形成するものであってもよい。
【００７４】
なお、本開示は以下のような構成も取ることができる。
（１）
底面部を有する略直方体状に形成され、前記底面部が通気溝と前記通気溝の壁面に形成された吸気口とを有する筐体と、
前記筐体の内部に設けられ、前記吸気口から前記筐体の内部へ入り込む空気の流れを形成する吸気ファンと、
前記吸気口から前記筐体の内部へ入り込む空気が通過するフィルタと、
を備える投射型表示装置。
（２）
前記筐体の底面部を上方に向けた状態において、前記通気溝の底面は、前記吸気口よりも低い位置にある
前記（１）に記載の投射型表示装置。
（３）
前記通気溝は、前記吸気口を設ける部分のみに形成される
前記（１）又は（２）に記載の投射型表示装置。
（４）
前記筐体の前記底面部は、底面部本体と、前記底面部本体に着脱可能な蓋体とを備え、
前記底面部本体は、前記蓋体が装着され、前記蓋体と共に前記通気溝を形成する蓋装着用凹部と、前記装着用凹部に形成された通気窓を有し、
前記蓋体は、前記吸気口を有する
前記（１）から（３）のいずれかに記載の投射型表示装置。
（５）
前記吸気口は、前記蓋体の側面の一部に形成されている。
前記（４）に記載の投射型表示装置。
（６）
前記蓋体は、前記フィルタが取り付けられるフィルタ取付部を有する
前記（４）又は（５）に記載の投射型表示装置。
（７）
前記蓋体は、前記筐体の前記底面部に連続した壁面部の少なくとも一部を形成する壁形成面部を有し、
前記壁形成面部には、前記吸気口とは別の壁側吸気口が形成されている
前記（４）から（６）のいずれかに記載の投射型表示装置。
（８）
前記筐体の前記底面部は、載置面に接触する支持脚を有する
前記（１）から（７）のいずれかに記載の投射型表示装置。
【００７５】
以上、本開示の投射型表示装置の実施の形態例について、その作用効果も含めて説明した。しかしながら、本開示の投射型表示装置は、上述の実施の形態例に限定されるものではなく、特許請求の範囲に記載した発明の要旨を逸脱しない範囲内で種々の変形実施が可能である。
【符号の説明】
【００７６】
１…投射型表示装置、  ２…筐体、  ３…レンズ鏡筒、  ５…投射レンズ、  １１…天面部、  １２…底面部、  １３…正面部、  １４…背面部、  １５，１６…側面部、  ２０…吸気ファン、  ２１…操作ボタン、  ２２…壁側吸気口、  ２３…接続端子、  ２４…排気口、  ２６…通気溝、  ２６Ａ…第１通気溝、  ２６Ｂ…第２通気溝、  ２７…吸気口、  ２７Ａ，２７Ｂ…第１吸気口、２７Ｃ…第２吸気口、  ２８…雌ねじ部、  ２９…支持突起（支持脚）、  ３０…支持具（支持脚）、  ３１…底面部本体、  ３２…蓋体、  ３４…蓋装着用凹部、  ３５…吸気窓、  ４１…上面部、  ４２…壁形成面部、  ４３，４４，４５…蓋側面部、  ４８…フィルタ取付部、  ４９…フィルタカバー、  ５１…フィルタ
【図１】
0005817334.tif 000002
【図２】
0005817334.tif 000003
【図３】
0005817334.tif 000004
【図４】
0005817334.tif 000005
【図５】
0005817334.tif 000006
【図６】
0005817334.tif 000007